(57)【要約】【課題】プラグと同一サイズとなるようにアダプタを極限まで小さくすることができ、配置場所の制限が課されることなく高密度実装を可能にした簡易な構成で且つ低コストに制作できるＭＰＯプラグ用ミニアダプタを提供する。【解決手段】アダプタ本体１は、カップリング１３の上下壁部１３ａ、１３ｂと略面一となる上下壁部１ａ、１ｂ、カップリング１３の左右壁部１３ｃ、１３ｄと略面一となる左右壁部１ｃ、１ｄそれぞれによって筒状に形成されてなり、アダプタ本体１の左右壁部１ｃ、１ｄの前後両端にはプラグ挿抜開口部１Ａ、１Ｂ側に向けて一体に対向突設した弾性係止部２を各備える。【選択図】図１
2019184942.tif 000002
【特許請求の範囲】
【請求項１】
プラグ本体の後端部に設けられたスプリングプッシュと、該スプリングプッシュより前方において前後摺動自在となるように前記プラグ本体に取付けられたカップリングと、該カップリングをプラグ本体前方側へ弾性付勢するスプリングとを主要部材とする当該プラグ本体を相互接続するための前後に連通するプラグ挿抜開口部を有するアダプタ本体によって形成されたＭＰＯプラグ用アダプタであって、
前記アダプタ本体は、前記カップリングの上下壁部と略面一となる上下壁部、カップリングの左右壁部と略面一となる左右壁部それぞれによって筒状に形成されてなり、前記アダプタ本体の左右壁部の前後両端には前記プラグ挿抜開口部側に向けて対向突設した弾性係止部を各備え、
前記スプリングのプラグ本体前方側への弾性付勢力に任せて前記カップリングが前進することによってアダプタ本体の前記弾性係止部に対する係止が保持され、前記スプリングのプラグ本体前方側への弾性付勢力に抗してカップリングが後退することによってアダプタ本体の前記弾性係止部に対する係止が解除され引き抜きが可能となることを特徴とするＭＰＯプラグ用アダプタ。
【請求項２】
前記アダプタ本体の弾性係止部は、その先端内面に係止突起が形成されてなり、プラグ本体の先端には前後一対の係止凸部の間に凹溝状となって形成された引っ掛かり部が突設されていて、前記プラグ本体のアダプタ本体への強制的挿入により、当該弾性係止部によってカップリング先端が前記スプリングのプラグ本体前方側への弾性付勢力に抗して押されて露出した前記引っ掛かり部に前記弾性係止部の先端内面に形成された係止突起が、前記前方側の係止凸部を乗り越えてから、引っ掛かり部に食い込み係止されるものとしたことを特徴とする請求項１記載のＭＰＯプラグ用アダプタ。
【請求項３】
前記アダプタ本体の左右壁部外面部の中央には、高密度実装用パネルの所定の挿入部位に嵌合する縦溝状の切欠部を設けたことを特徴とする請求項１記載のＭＰＯプラグ用アダプタ。
【請求項４】
前記切欠部は、上向き開放のコ字枠状の仕切部を等間隔毎に立設してなる高密度実装用パネルの当該仕切部に嵌合することを特徴とする請求項３記載のＭＰＯプラグ用アダプタ。
【請求項５】
前記アダプタ本体は、一方の前記プラグ挿抜開口部の下壁部の内面中央、及び、他方の前記プラグ挿抜開口部の上壁部の内面中央に、プラグ本体側のキー突起が係合するキー溝が当該プラグ本体のスライド方向に沿ってアダプタ本体の内側中央位置まで形成されてなり、前記プラグ本体のキー突起は前記キー溝と同じ長さを有し、当該キー溝の後端に前記キー突起の先端が係止され、アダプタ本体の所定位置にプラグ本体が配置されることを特徴とする請求項１記載のＭＰＯプラグ用アダプタ。
【請求項６】
内部に収容部を設けた角筒状のアダプタカバーを備え、該アダプタカバーの収容部の所定位置に前記アダプタ本体を収納配置してなることを特徴とする請求項１記載のＭＰＯプラグ用アダプタ。
【請求項７】
前記アダプタ本体は、薄板で弾性を有し、且つ軽量なプラスチック材にて一体成形されていることを特徴とする請求項１記載のＭＰＯプラグ用ミニアダプタ。
【発明の詳細な説明】
【技術分野】
【０００１】
本発明は、ＭＰＯ型のプッシュプル方式による光コネクタプラグ（以下にプラグ本体と略称する）を相互接続するための小型で簡易な構成によるＭＰＯプラグ用ミニアダプタに関する。
【背景技術】
【０００２】
近年、各種のデータセンタ等において通信装置の高密度化が必須となってきており、これに伴いプラグ本体の１つに対して複数の光ファイバ心線を実装する形態が普及されている。
【０００３】
また、光コネクタフェルールの接続作業性の向上等に鑑みて、近年では、いわゆるＭＰＯコネクタ（ＪＩＳ−Ｃ５９８２規格等に制定される多心光コネクタフェルールをプラスチック製ハウジング内部に収納した構造の光コネクタ）が提供されている。
【０００４】
従来、図１７及び図１８に示すように、アダプタ本体２０は、略直方体の角筒状に形成され、その左右内壁の前後両端に、前後に連通するプラグ挿抜開口部２１Ａ、２１Ｂ側に向けて弾性係止部２２が一体に対向突設され、図２０に示すように、各プラグ挿抜開口部２１Ａ、２１Ｂそれぞれにプラグ本体１０が挿入されることで、双方の光ファイバ心線が光接続される。
【０００５】
また、前記アダプタ本体２０の一方の前記プラグ挿抜開口部２１Ａの下壁部の内面中央、及び、他方の前記プラグ挿抜開口部２１Ｂの上壁部の内面中央に、後述するプラグ本体１０側のキー突起（図示省略）が係合するキー溝１９がプラグ本体１０のスライド方向に沿って形成されている。
【０００６】
さらに、前記アダプタ本体２０の左右両側面の略中央には、不図示のパネルの取付開口部に実装した際にアダプタ本体２０をパネルの取付開口部の開口縁部に係止するための係止突起２１が形成されている。
【０００７】
一方、ＭＰＯ型のプラグ本体１０は、図１９に示すように、スリーブ状のハウジング１１の先端（前端）に、光ファイバテープ心線（図示省略）先端に取り付けられたフェルール１２を収納している。そして、このハウジング１１内には、前記フェルール１２をプラグ本体１０の前方側へ弾性付勢するスプリング１５を具備している。
【０００８】
また、前記ハウジング１１に形成されている凹所１７に外挿して当該ハウジング１１に対してその軸線方向に確保した可動範囲でスライド移動可能に設けられ且つスプリング１６にてプラグ本体１０前方側へ弾性付勢した筒状のカップリング１３と、前記ハウジング１１の前記フェルール１２が設けられている前端とは反対の後端部に取り付けられて前記スプリング１５の後端を係止支持するスプリングプッシュ１４とを具備している。
【０００９】
さらに、前記カップリング１３の前端側の左右対称位置には、不図示のピンを挿入するための小孔１８が設けられ、これら小孔１８夫々に一対のピンを備えたクランプ状のピン工具（図示せず）の両ピンを同時に挿入することで、前記カップリング１３を前記ハウジング１１から分解できるようになっている。
【００１０】
前記プラグ本体１０のアダプタ本体２０に対する挿入は、図１９に示すように、当該プラグ本体１０における前記カップリング１３から後側に位置する部分、例えばハウジング１１やブーツＢを作業者が手指でアダプタ本体２０に向かって押圧して行う。
【００１１】
一方、前記プラグ本体１０の前記アダプタ本体２０からの抜脱は、前記スプリング１６の弾性付勢力に抗して後方に前記カップリング１３を引き込むことで行う。
【００１２】
すなわち、図１９に示すように、前記プラグ本体１０のハウジング１１先端側をアダプタ本体２０の前記プラグ挿抜開口部２１Ａに挿入すると、弾性係止部２２によってカップリング１３先端が押されていったん後退する。前記ハウジング１１は、その先端に設けられた引っ掛かり部３１を介して前後一対の係止凸部３１ａ、３１ｂが突設され、前記弾性係止部２２は、その先端内面に形成された係止突起２２ａが、前記前側の係止凸部３１ａを乗り越えてから、前記引っ掛かり部３１にがっちりと食い込んで係止される。
【００１３】
そして、前記カップリング１３はスプリング１６によって前記プラグ本体１０前側へ常時付勢されているために当該カップリング１３は前方へスライド復帰し、弾性係止部２２の外面はカップリング１３の先端内面によって被覆保持されてハウジング１１の抜脱を不能にする。
【００１４】
前記プラグ本体１０を脱去する際には、前記ハウジング１１の引っ掛かり部３１に前記弾性係止部２２の係止突起２２ａが係合されている状態において、前記カップリング１３を後方へスライドさせる。このとき、係止突起２２ａが係合されている状態の引っ掛かり部３１が露出される。そこで、前記プラグ本体１０を引抜くことで、前記ハウジング１１の引っ掛かり部３１に係合されていた係止突起２２ａは、前側の係止凸部３１ａを乗り越える。そして、前記ハウジング１１とカップリング１３との隙間から、前記係止突起２２ａが解放されると同時に、前記カップリング１３はスプリング１６によって前方へスライド復帰し、当該カップリング１３先端は引っ掛かり部３１ａをカバーする。
【００１５】
また、特許文献１に示すように、略直方体形状に形成されたアダプタ本体と、該アダプタ本体に貫通形成されたプラグ挿抜孔と、プラグ挿抜孔の内面にアダプタ本体の幅方向に間隔を隔てて一対取り付けられたラッチ部材と、プラグ挿抜孔の内面にアダプタ本体の幅方向に間隔を隔てて一対形成されたラッチ部材取付溝と、アダプタ本体の厚さ方向の下面にプラグ挿抜孔と連通して形成された貫通部と、該貫通部に取り付けられた窓部材と、前記プラグ挿抜孔に配設されたシャッタ板と、前記アダプタ本体の外面に装着されたストッパ金具と、を備えているシャッタ付き光コネクタアダプタが公知である。
【先行技術文献】
【特許文献】
【００１６】
【特許文献１】特開２０１６−５３７１１号公報
【発明の概要】
【発明が解決しようとする課題】
【００１７】
しかしながら、従来においては、前記アダプタ本体２０の胴周りサイズ（縦横幅寸法）がプラグ本体１０（カップリング１３）の胴周りサイズ（縦横幅寸法）よりも大きい。すなわち、図２０に示すように、前記アダプタ本体２０の縦横方向の厚み分だけプラグ本体１０（カップリング１３）から外方へはみ出すため、パネル等への高密度実装に際し、互いに隣接するアダプタ本体２０同士の間隔が狭くなり、配置場所の制限が課されるという問題がある。
【００１８】
このような制限を無くすためには、前記アダプタ本体２０を極限まで小さくし、プラグ本体１０と同一サイズにする必要があるが、上記したように、前記ハウジング１１の弾性係止部２２は、前記アダプタ本体２０の左右内壁に、プラグ挿抜開口部２１Ａ、２１Ｂ側に向けて対向突設しているため、このように前記アダプタ本体２０を極限まで小さくすることは構造的に不可能である。
【００１９】
また、上記した特許文献１では、プラグ挿抜孔の内面にアダプタ本体の幅方向に間隔を隔てて一対取り付けられたラッチ部材と、プラグ挿抜孔の内面にアダプタ本体の幅方向に間隔を隔てて一対形成されたラッチ部材取付溝とを有することから、ラッチ部材とアダプタ本体との組合せによって構成される。従って、ラッチ部材自体は、アダプタ本体とは別の異なる部材であって、製造上、２部品の組合せにより複雑な構成となり、また制作コストも上がってしまうという問題がある。
【００２０】
そこで、本発明は、叙上のような従来存した諸事情に鑑み案出されたもので、プラグと同一サイズとなるようにアダプタを極限まで小さくすることができ、配置場所の制限が課されることなく高密度実装を可能にした簡易な構成で且つ低コストに制作できるＭＰＯプラグ用ミニアダプタを提供することを目的とする。
【課題を解決するための手段】
【００２１】
上述した課題を解決するために、本発明にあっては、プラグ本体の後端部に設けられたスプリングプッシュと、該スプリングプッシュより前方において前後摺動自在となるように前記プラグ本体に取付けられたカップリングと、該カップリングをプラグ本体前方側へ弾性付勢するスプリングとを主要部材とする当該プラグ本体を相互接続するための前後に連通するプラグ挿抜開口部を有するアダプタ本体によって形成されたＭＰＯプラグ用ミニアダプタであって、
前記アダプタ本体は、前記カップリングの上下壁部と略面一となる上下壁部、カップリングの左右壁部と略面一となる左右壁部それぞれによって筒状に形成されてなり、前記アダプタ本体の左右壁部の前後両端には前記プラグ挿抜開口部側に向けて対向突設した弾性係止部を各備え、
前記スプリングのプラグ本体前方側への弾性付勢力に任せて前記カップリングが前進することによってアダプタ本体の前記弾性係止部に対する係止が保持され、前記スプリングのプラグ本体前方側への弾性付勢力に抗してカップリングが後退することによってアダプタ本体の前記弾性係止部に対する係止が解除され引き抜きが可能となることを特徴とする。
【００２２】
前記アダプタ本体の弾性係止部は、その先端内面に係止突起が形成されてなり、プラグ本体の先端には前後一対の係止凸部の間に凹溝状となって形成された引っ掛かり部が突設されていて、前記プラグ本体のアダプタ本体への強制的挿入により、当該弾性係止部によってカップリング先端が前記スプリングのプラグ本体前方側への弾性付勢力に抗して押されて露出した前記引っ掛かり部に前記弾性係止部の先端内面に形成された係止突起が、前記前方側の係止凸部を乗り越えてから、引っ掛かり部に食い込み係止されるものとしたことを特徴とする。
【００２３】
前記アダプタ本体の左右壁部外面部の中央には、高密度実装用パネルの所定の挿入部位に嵌合する縦溝状の切欠部を設けたことを特徴とする。
【００２４】
前記切欠部は、上向き開放のコ字枠状の仕切部を等間隔毎に立設してなる高密度実装用パネルの当該仕切部に嵌合することを特徴とする。
【００２５】
前記アダプタ本体は、一方の前記プラグ挿抜開口部の下壁部の内面中央、及び、他方の前記プラグ挿抜開口部の上壁部の内面中央に、プラグ本体側のキー突起が係合するキー溝が当該プラグ本体のスライド方向に沿ってアダプタ本体の内側中央位置まで形成されてなり、前記プラグ本体のキー突起は前記キー溝と同じ長さを有し、当該キー溝の後端に前記キー突起の先端が係止され、アダプタ本体の所定位置にプラグ本体が配置されることを特徴とする。
【００２６】
内部に収容部を設けた角筒状のアダプタカバーを備え、該アダプタカバーの収容部の所定位置に前記アダプタ本体を収納配置してなることを特徴とする。
【００２７】
前記アダプタ本体は、薄板で弾性を有し、且つ軽量なプラスチック材にて一体成形されていることを特徴とする。
【発明の効果】
【００２８】
本発明によれば、プラグと同一サイズとなるようにアダプタを極限まで小さくすることができ、配置場所の制限が課されることなく高密度実装を可能にした簡易な構成で且つ低コストに制作でき、諸々のプラグセキュリティシステムを構築可能にする。
【００２９】
すなわち、本発明は、プラグ本体の後端部に設けられたスプリングプッシュと、該スプリングプッシュより前方において前後摺動自在となるように前記プラグ本体に取付けられたカップリングと、該カップリングをプラグ本体前方側へ弾性付勢するスプリングとを主要部材とする当該プラグ本体を相互接続するための前後に連通するプラグ挿抜開口部を有するアダプタ本体によって形成されたＭＰＯプラグ用ミニアダプタであって、前記アダプタ本体は、前記カップリングの上下壁部と略面一となる上下壁部、カップリングの左右壁部と略面一となる左右壁部それぞれによって筒状に形成されてなり、前記アダプタ本体の左右壁部の前後両端には前記プラグ挿抜開口部側に向けて対向突設した弾性係止部を各備え、前記スプリングのプラグ本体前方側への弾性付勢力に任せて前記カップリングが前進することによってアダプタ本体の前記弾性係止部に対する係止が保持され、前記スプリングのプラグ本体前方側への弾性付勢力に抗してカップリングが後退することによってアダプタ本体の前記弾性係止部に対する係止が解除され引き抜きが可能となるので、プラグ本体と同一サイズとなるようにアダプタ本体を極限まで小さくすることができ、配置場所の制限が課されることなく高密度実装を可能する。例えば、配管内部の配線の際に、当該配管が細い管であっても、容易に管内部に通すことができる。また、収納ボックス内での巻き込み収納の際にもプラグ本体のコードをアダプタ本体に引っ掛けてしまうことを防止できる。さらに、前記アダプタ本体を介してのプラグ本体相互の光接続部分全体を封止（カバー）する各種の中継ボックスの小型化も可能となる。
【００３０】
前記アダプタ本体の弾性係止部は、その先端内面に係止突起が形成されてなり、プラグ本体のアダプタ本体への強制的挿入により、当該弾性係止部によってカップリング先端が前記スプリングのプラグ本体前方側への弾性付勢力に抗して押されて露出したプラグ本体の引っ掛かり部に前記係止突起が係止されるものとしたので、プラグ本体と同一サイズとなるようにアダプタ本体を極限まで小さくしても、カップリングのスライド動作が容易且つ確実に行えるとともに、前記プラグ本体のアダプタ本体への押込みによる係止操作がスムーズに行える。しかも、前記アダプタ本体に対するプラグ本体の引き抜きもスムーズに行える。
【００３１】
前記引っ掛かり部は、前記プラグ本体の先端に突設された前後一対の係止凸部の間に凹溝状となって形成されてなり、前記弾性係止部は、その先端内面に形成された係止突起が、前記前方側の係止凸部を乗り越えてから、当該引っ掛かり部に食い込み係止されるものとしたので、前記プラグ本体と同一サイズとなるように前記アダプタ本体を極限まで小さくしても、当該アダプタ本体からプラグ本体が不用意に脱去されてしまうのを確実に防止することができる。
【００３２】
前記アダプタ本体の左右壁部外面部の中央には、高密度実装用パネルの所定の挿入部位に嵌合する縦溝状の切欠部を設けたので、パネルに対し前記アダプタ本体を高密度状態となってスムーズに実装することができる。
【００３３】
前記切欠部は、上向き開放のコ字枠状の仕切部を等間隔毎に立設してなる高密度実装用パネルの当該仕切部に嵌合するので、前記パネルに高密度状態となって前記アダプタ本体が実装されても、互いに隣り合うアダプタ本体同士が障害にならず、仕切部によって確実に保持される。
【００３４】
前記アダプタ本体は、一方の前記プラグ挿抜開口部の下壁部の内面中央、及び、他方の前記プラグ挿抜開口部の上壁部の内面中央に、前記プラグ本体側のキー突起が係合するキー溝が当該プラグ本体のスライド方向に沿って形成されてなるので、前記アダプタ本体への前記プラグ本体の誤挿入を未然に回避できる。
【００３５】
前記アダプタ本体のキー溝は、当該アダプタ本体の内側中央位置まで形成され、前記プラグ本体のキー突起も前記キー溝と同じ長さを有し、キー溝の後端にキー突起の先端が係止され、前記アダプタ本体の所定位置に前記プラグ本体が配置されるので、当該プラグ本体と同一サイズとなるように前記アダプタ本体を極限まで小さくしても、前記プラグ本体同士の光接続が確実に行える。
【００３６】
内部に収容部を設けた角筒状のアダプタカバーを備え、該アダプタカバーの収容部の所定位置に前記アダプタ本体を収納配置してなるので、略直方体の角筒状に形成され、その左右内壁の前後両端に、前後に連通するプラグ挿抜開口部側に向けて弾性係止部が一体に対向突設されてなる通常のアダプタとして使用することも可能となる。
【００３７】
前記アダプタ本体は、薄板で弾性を有し、且つ軽量なプラスチック材にて一体形成されているので、前記アダプタ本体を極限まで小さくすることが可能で、高密度実装用のパネルに利用するのに好適なものである。
【図面の簡単な説明】
【００３８】
【図１】本発明に係るアダプタ本体の一形態を示すもので、（ａ）は平面図、（ｂ）は側面図、（ｃ）は正面図、（ｄ）は背面図である。
【図２】同上アダプタ本体の一形態を示すもので、（ａ）は斜視図、（ｂ）は図１（ａ）のＸ−Ｘ断面図、（ｃ）は図１（ｂ）のＹ−Ｙ断面図である。
【図３】プラグ本体の一形態を示し、（ａ）は全体の分解斜視図、（ｂ）はカップリングとハウジングの分解斜視図である。
【図４】本発明に係るアダプタ本体の使用状態を示すもので、（ａ）は側面図、（ｂ）は平面図である。
【図５】プラグ本体のハウジングの一形態を示し、（ａ）は平面図、（ｂ）は側面図、（ｃ）は底面図、（ｄ）は正面図、（ｅ）は背面図である。
【図６】同上のハウジングの一形態を示し、（ａ）は斜視図、（ｂ）は図５（ａ）のＡ−Ａ断面図、（ｃ）は図５（ｂ）のＢ−Ｂ断面図である。
【図７】プラグ本体のカップリングの一形態を示し、（ａ）は平面図、（ｂ）は側面図、（ｃ）は正面図である。
【図８】同上のカップリングの一形態を示し、（ａ）は斜視図、（ｂ）は図７（ａ）のＣ−Ｃ断面図、（ｃ）は図７（ｂ）のＤ−Ｄ断面図である。
【図９】アダプタ本体へのプラグ本体の挿入工程を示すもので、（ａ）は挿入前の断面図、（ｂ）は挿入途中の断面図、（ｃ）は挿入後の断面図である。
【図１０】アダプタ本体からのプラグ本体の抜去工程を示すもので、（ａ）は抜去前の断面図、（ｂ）は抜去直前の断面図、（ｃ）は抜去後の断面図である。
【図１１】本発明に係るアダプタ本体の配管内部での使用状態の一例を一部断面で示す説明図である。
【図１２】本発明に係るアダプタ本体の中継ボックス内部での使用状態の一例を一部断面で示す説明図である。
【図１３】本発明に係るアダプタ本体の中継ボックス内部での使用状態の他例を一部断面で示す説明図である。
【図１４】本発明に係るアダプタ本体のパネルへの高密度実装の一例を示すもので、（ａ）は１つのアダプタ本体がパネルに取り付けられる前状態の斜視図、（ｂ）は１つのアダプタ本体がパネルに取り付けられる前状態を正面側から視た断面図である。
【図１５】本発明に係るアダプタ本体のパネルへの高密度実装の一例を示すもので、（ａ）は３つのアダプタ本体がパネルに取り付けられた状態の斜視図、（ｂ）は３つのアダプタ本体がパネルに取り付けられた状態を正面側から視た断面図である。
【図１６】本発明に係るアダプタ本体の他の使用例において、アダプタ本体をアダプタカバーに取り付けられる前状態の斜視図である。
【図１７】従来例におけるアダプタ本体を示し、（ａ）は平面図、（ｂ）は側面図、（ｃ）は正面図、（ｄ）は背面図である。
【図１８】同上のアダプタ本体を示し、（ａ）は斜視図、（ｂ）は図１７（ａ）のＥ−Ｅ断面図、（ｃ）は図１７（ｂ）のＦ−Ｆ断面図である。
【図１９】従来例におけるアダプタ本体からのプラグ本体の抜去工程を示すもので、（ａ）は抜去前の断面図、（ｂ）は抜去直前の断面図、（ｃ）は抜去後の断面図である。
【図２０】従来例におけるアダプタ本体の使用状態を示すもので、（ａ）は側面図、（ｂ）は平面図である。
【発明を実施するための形態】
【００３９】
以下、図面を参照して本発明に係るＭＰＯプラグ用ミニアダプタの実施の一形態を詳細に説明する。
【００４０】
＜アダプタ本体の全体構成＞
本実施形態におけるアダプタ本体１は、図４に示すように、ＭＰＯ型のプッシュプル方式による後述するプラグ本体１０を相互接続するものであり、配置場所の制限が課されることなく高密度実装を可能にするよう、プラグ本体１０と同一サイズとなるように構成されている。
【００４１】
すなわち、前記アダプタ本体１は、図１及び図２に示すように、前後に連通するプラグ挿抜開口部１Ａ、１Ｂを備え、後述するプラグ本体１０におけるカップリング１３の上下壁部１３ａ、１３ｂと略面一となる上下壁部１ａ、１ｂ、カップリング１３の左右壁部１３ｃ、１３ｄと略面一となる左右壁部１ｃ、１ｄそれぞれによって筒状のミニタイプとなって形成されている。尚、本アダプタ本体１は、薄板で弾性を有し、且つ軽量なプラスチック材にて一体形成されるのが望ましい。
【００４２】
後述するプラグ本体１０におけるカップリング１３の左右壁部１３ｃ、１３ｄが外向き円弧状に若干湾曲しているのに対応して、図１及び図２に示すように、前記アダプタ本体１の左右壁部１ｃ、１ｄも外向き円弧状に若干湾曲している。
【００４３】
また、前記アダプタ本体１の若干湾曲している左右壁部１ｃ、１ｄには、当該アダプタ本体１の前後に連通するプラグ挿抜開口部１Ａ、１Ｂの開口端から互いに内方に向けつつ上下位置に所定の間隔を置いて各一対のスリットＳを設け、このスリットＳを介して片持ち状となって撓曲自在に対向配置する左右前後で一対のラッチ片としての弾性係止部２が各プラグ挿抜開口部１Ａ、１Ｂに向けて一体形成されている。すなわち、この弾性係止部２は、前記アダプタ本体１の外側もしくは内側に別体として設けられるものではなく、前記アダプタ本体１の左右壁部１ｃ、１ｄの一部を構成している。
【００４４】
したがって、前記アダプタ本体１の左右壁部１ｃ、１ｄの一部を構成する弾性係止部２の外面も前記カップリング１３の外面と面一に形成されると共に、前記弾性係止部２の先端内面には、略断面台形状の係止突起２ａが形成されている。
【００４５】
また、図１、図２、図４、図９、図１０に示すように、前記アダプタ本体１の左右壁部１ｃ、１ｄの外面部中央には、後述する高密度実装用パネルＰの所定の挿入部位に嵌合するための縦方向に沿って細長の矩形溝状となした切欠部３を設けている。
【００４６】
図２に示すように、前記アダプタ本体１の一方のプラグ挿抜開口部１Ｂの下壁部１ｂの内面中央、及び、他方のプラグ挿抜開口部１Ａの上壁部１ａの内面中央に、後述するプラグ本体１０側のハウジング１１に形成されたキー突起Ｋが係合するキー溝９がプラグ本体１０のスライド方向に沿ってアダプタ本体１の内側中央位置まで形成されている。このキー溝９は、前記プラグ本体１０のキー突起と同じ長さを有し、当該キー溝９の後端にキー突起Ｋの先端が係止されることで、アダプタ本体１の所定位置にプラグ本体１０が配置されるようになっている。
【００４７】
＜プラグ本体の全体構成＞
ＭＰＯ型のプラグ本体１０は、図３（ａ）に示すように、スリーブ状のハウジング１１と、該ハウジング１１の先端（前端）に収納される、光ファイバテープ心線（図示省略）先端に取り付けられたフェルール１２と、前記ハウジング１１内において、前記フェルール１２をプラグ本体１０の前方側へ弾性付勢するスプリング１５と、前記ハウジング１１に形成されている横長の凹所１７（図３（ｂ）参照）に外挿して前記ハウジング１１に対してその軸線方向に確保した可動範囲でスライド移動可能に設けられ且つ凹所１７内に配したスプリング１６にてプラグ本体１０前方側へ弾性付勢した筒状のカップリング１３と、前記ハウジング１１のフェルール１２が設けられている前端とは反対の後端部に取り付けられて前記スプリング１５の後端を係止支持するスプリングプッシュ１４と、該スプリングプッシュ１４の後端部にカシメリング１４Ａ及び保持リング１４Ｂを介して外装されるブーツＢとを有する。
【００４８】
＜ハウジングの全体構成＞
前記ハウジング１１は、図５及び図６に示すように、後端に横幅の広いフランジ部３２を有する略矩形筒状に形成され、当該ハウジング１１先端（前端）の上壁部１１ａ外面中央から長手方向に沿って略中央位置にかけてキー突起Ｋが形成され、後述のカップリング１３の上壁部１３ａ内面のキー溝Ｋ１、及び前記アダプタ本体１のキー溝９に各係合するようになっている。
【００４９】
また、図５、図７、図８に示すように、前記ハウジング１１の下壁部１１ｂ外面略中央には、側面略クサビ状のフック爪Ｌが突設され、後述のカップリング１３の上下壁部１３ａ、１３ｂ内面に形成されているいずれかの係止部Ｌ１に前方スライド位置で係合する。また、図５、図６に示すように、前記ハウジング１１の左右壁部１１ｃ、１１ｄ外面の後端側にある前記フランジ部３２の根元から前方に向けて前記凹所１７が左右対称となって形成され、該凹所１７の前側には、前後一対の係止凸部３１ａ、３１ｂの間に凹溝状となって形成された引っ掛かり部３１が形成されている。前記アダプタ本体１の弾性係止部２は、前記プラグ本体１０が前記アダプタ本体１に挿入される工程において、その先端内面に形成された係止突起２ａが、前記前方側の係止凸部３１ａを乗り越えてから、後方側の係止凸部３１ａ手前にある引っ掛かり部３１に食い込み係止されるようになっている。
【００５０】
＜カップリングの全体構成＞
前記カップリング１３は、図７及び図８に示すように、前記アダプタ本体１の左右壁部１ｃ、１ｄが外向き円弧状に湾曲しているのに対応して、カップリングの左右壁部１３ｃ、１３ｄが外向き円弧状に湾曲している。なお、この左右壁部１３ｃ、１３ｄは、一部が滑り止めのための凹凸状に形成されている。
【００５１】
図７、図８に示すように、カップリング１３の上下壁部１３ａ、１３ｂ内面には、キー溝Ｋ１が形成され、前記したハウジング１１先端（前端）の上壁部１１ａ外面中央のキー突起Ｋがスライド自在となって係合する。また、前記キー溝Ｋ１の内側には係止部Ｌ１が設けられ、前記したハウジング１１の下壁部１１ｂ外面略中央のフック爪Ｌがこの係止部Ｌ１に前方スライド位置で係合する。さらに、前記カップリング１３の左右壁部１３ｃ、１３ｄの各前端側には、不図示のピンを挿入するための小孔１８が設けられ、これら小孔１８夫々に一対のピンを備えたクランプ状のピン工具（図示せず）の両ピンを同時に挿入することで、前記カップリング１３をハウジング１１から分解できるようになっている。尚、前記ピン工具を使用しなくとも前記小孔１８に挿通可能なピンを２本使って各小孔１８から挿入することで分解することも可能である。
【００５２】
次に、以上のように構成された形態についてのアダプタ本体１の使用の一例について説明する。
＜挿入工程＞
図９（ａ）に示すように、前記プラグ本体１０のアダプタ本体１への挿入前では、前記ハウジング１１内においてフェルール１２はスプリング１５によって当該プラグ本体１０の前方側へ弾性付勢されている。また、前記カップリング１３は、前記ハウジング１１の凹所１７内に配したスプリング１６にて前記プラグ本体１０前方側へ弾性付勢されている。
【００５３】
図９（ｂ）に示すように、前記プラグ本体１０のアダプタ本体１への強制的挿入により、該アダプタ本体１に設けられた弾性係止部２によってカップリング１３先端が前記スプリング１６のプラグ本体１０前方側への弾性付勢力に抗して押されて当該カップリング１３が若干後方へ退避し、前記ハウジング１１の引っ掛かり部３１が一部露出する。このとき前記アダプタ本体１の弾性係止部２の先端内面の係止突起２ａが、前記前方側の係止凸部３１ａに乗り上げる。
【００５４】
図９（ｃ）に示すように、前記アダプタ本体１に設けられた弾性係止部２の係止突起２ａが前方側の係止凸部３１ａを乗り越えると同時に、前後一対の係止凸部３１ａ、３１ｂの間に設けられた引っ掛かり部３１に前記弾性係止部２の係止突起２ａが食い込み係止される。これと同時に、カップリング１３は、前記ハウジング１１の凹所１７内に配したスプリング１６によるプラグ本体１０前方側への弾性付勢により前方にスライドし、前記アダプタ本体１の弾性係止部２の係止突起２ａ上側（外側）をカバーすることで、前記プラグ本体１０はアダプタ本体１からの抜け止めを阻止された状態で固定される。
【００５５】
＜抜去工程＞
図１０（ａ）に示すように、適宜の手動操作により、前記スプリング１６のプラグ本体１０前方側への弾性付勢力に抗して前記カップリング１３を若干後方へ退避させると、当該カップリング１３先端によってカバーされていた前記プラグ本体１の弾性係止部２の係止突起２ａが開放される。
【００５６】
そこで、図１０（ｂ）に示すように、前記アダプタ本体１からプラグ本体１０を強制的に引き抜くと、前記アダプタ本体１の弾性係止部２の係止突起２ａが前方側の係止凸部３１ａを乗り越えつつ弾性係止部２が外方へ撓曲して拡開され、前後一対の係止凸部３１ａ、３１ｂの間に設けられた引っ掛かり部３１から前記アダプタ本体１の弾性係止部２の係止突起２ａが前方に抜き出される。
【００５７】
同時に、図１０（ｃ）に示すように、前記スプリング１６のプラグ本体１０前方側への弾性付勢力により、前記カップリング１３が若干前方へスライド復帰し、前記ハウジング１１の一部露出している引っ掛かり部３１を再度カバーする。因みに、この状態が図９（ａ）の挿入工程前の状態と一致している。
【００５８】
＜他の具体的な使用例＞
以下に、上記構成によるアダプタ本体１の他の使用例について説明する。
図１１は、上記構成によるアダプタ本体１を円筒状の配管Ｖ内部で使用した場合の一例を示している。この場合、前記プラグ本体１０はアダプタ本体１と同じ胴周りサイズとなっているため、従来のアダプタのように出っ張りによる管内壁に対するアダプタ本体１による障害（接触）が回避される。例えば、配管Ｖ内部の配線の際に、当該配管Ｖが細い管であっても、容易に管内部に通すことができる。
【００５９】
図１２は、上記構成によるアダプタ本体１をカプセル状の中継ボックスＷ内部で使用した場合の一例を示している。この場合、上記と同様に、前記プラグ本体１０はアダプタ本体１と同じ胴周りサイズとなっているため、中継ボックスの内壁に対する当該アダプタ本体１による障害（接触）が回避される。
【００６０】
図１３は、上記構成によるアダプタ本体１を収納ボックスＱ（例えば光フロアコンセント等）の内部で使用した場合の一例を示している。この場合、上記と同様に、プラグ本体１０はアダプタ本体１と同じ胴周りサイズとなっているため、収納ボックスＱ内での巻き込み収納の際に、前記プラグ本体１０のコードをアダプタ本体１に引っ掛けてしまうことがない。しかも、収納ボックスＱの小型化も可能となる。
【００６１】
図１４及び図１５は、上記構成によるアダプタ本体１の高密度実装のパネルＰへの使用の一例を示している。この場合、高密度実装パネルＰは、上向き開放のコ字枠状の仕切部Ｐ１を等間隔毎に立設し、各仕切部Ｐ１相互間は角溝ＰＡとなっている。図１４（ａ）、図１４（ｂ）に示すように、前記アダプタ本体１が角溝ＰＡ内に上方から装着されると、左右壁部１ｃ、１ｄの切欠部３は、この高密度実装用パネルＰの仕切部Ｐ１に密着嵌合する。
【００６２】
図１６は、上記構成によるアダプタ本体１が角筒状のアダプタカバー４０に取り付けられて使用する場合の一例を示している。すなわち、図１６に示すアダプタカバー４０は、従来のアダプタの外殻形状と同じサイズとなっており、当該アダプタカバー４０の内部には収容部４１を設け、該収容部４１の所定位置に上記構成によるアダプタ本体１を収納配置して使用する。なお、図中、符号４２は、パネルＰに取付けた際に係止固定するための係止突起である。このように、通常サイズのアダプタ本体１をパネルＰに取り付ける必要が生じても、このアダプタカバー４０を使用すれば良く、使い勝手が向上する。
【符号の説明】
【００６３】
Ｂ              ブーツ
Ｐ              パネル
Ｐ１            仕切部
ＰＡ            角溝
Ｑ              収納ボックス
Ｓ              スリット
Ｖ              配管
Ｗ              中継ボックス
Ｋ              キー突起
Ｋ１            キー溝
Ｌ              フック爪
Ｌ１            係止部
１              アダプタ本体
１ａ            上壁部
１ｂ            下壁部
１ｃ            左壁部
１ｄ            右壁部
１Ａ、１Ｂ      プラグ挿抜開口部
２              弾性係止部
２ａ            係止突起
３              切欠部
９              キー溝
１０            プラグ本体
１１            ハウジング
１１ａ          上壁部
１１ｂ          下壁部
１１ｃ          左壁部
１１ｄ          右壁部
１２            フェルール
１３            カップリング
１３ａ          上壁部
１３ｂ          下壁部
１３ｃ          左壁部
１３ｄ          右壁部
１４            スプリングプッシュ
１４Ａ          カシメリング
１４Ｂ          保持リング
１５            スプリング
１６            スプリング
１７            凹部
１８            小孔
１９            キー溝
２０            アダプタ本体
２１            係止突起
２１Ａ、２１Ｂ  プラグ挿抜開口部
２２            弾性係止部
２２ａ          係止突起
３１            引っ掛かり部
３１ａ、３１ｂ  係止凸部
３２            フランジ部
４０            アダプタカバー
４１            収容部
４２            係止突起
【図１】
2019184942.tif 000003
【図２】
2019184942.tif 000004
【図３】
2019184942.tif 000005
【図４】
2019184942.tif 000006
【図５】
2019184942.tif 000007
【図６】
2019184942.tif 000008
【図７】
2019184942.tif 000009
【図８】
2019184942.tif 000010
【図９】
2019184942.tif 000011
【図１０】
2019184942.tif 000012
【図１１】
2019184942.tif 000013
【図１２】
2019184942.tif 000014
【図１３】
2019184942.tif 000015
【図１４】
2019184942.tif 000016
【図１５】
2019184942.tif 000017
【図１６】
2019184942.tif 000018
【図１７】
2019184942.tif 000019
【図１８】
2019184942.tif 000020
【図１９】
2019184942.tif 000021
【図２０】
2019184942.tif 000022